(57)【要約】【課題】様々な充電器に対応できる電子機器および充電制御方法を提供することができる。【解決手段】充電器２０と電池１１との間に接続され、充電器２０から供給される充電電流の電流量を制御する電流制御部（電流制限回路１６、ＦＥＴ１３）と、充電器２０から電池１１に供給される充電電力の充電電圧を検出し、検出結果に基づき、電池１１に供給される充電電流の電流量を制限するか否かを判定し、判定結果に基づき電流制御部（電流制限回路１６、ＦＥＴ１３）を制御する充電電圧監視回路１４とを備える。【選択図】図１
2013223348.tif 000002
【特許請求の範囲】
【請求項１】
充電器と電池との間に接続され、前記充電器から供給される充電電流の電流量を制御する電流制御部と、
前記充電器から前記電池に供給される充電電力の充電電圧を検出し、検出結果に基づき、前記電池に供給される充電電流の電流量を制限するか否かを判定し、判定結果に基づき前記電流制御部を制御する充電電圧監視回路と
を備えることを特徴とする電子機器。
【請求項２】
前記充電電圧監視回路は、
検出した前記充電電圧が第１電圧閾値以下に降下した場合に前記電池に流れる前記充電電流の電流量を制限するよう前記電流制御部を制御し、検出した前記充電電圧が前記第１電圧閾値よりも低い第２電圧閾値以下に降下した場合に前記電流制御部への制限を解除するよう制御する充電電圧監視回路と
を備えることを特徴とする請求項１に記載の電子機器。
【請求項３】
前記充電電圧監視回路は、
検出した前記充電電圧が前記第２電圧閾値よりも低い第３電圧閾値以下に降下した場合、前記充電器から前記電池への充電を停止させることを特徴とする請求項１または２に記載の電子機器。
【請求項４】
前記第１電圧閾値は、前記充電器の出力電圧未満であることを特徴とする請求項１から３のうちいずれか一項に記載の電子機器。
【請求項５】
充電器から電池に供給される充電電力の充電電圧を検出するステップと、
検出結果に基づき、前記電池に供給される充電電流の電流量を制限するか否かを判定するステップと、
前記電池に供給される充電電流の電流量を制限すると判定した場合、前記充電器と前記電池との間に接続される電流制限部に対して、前記充電器から供給される充電電流の電流量を制限するよう制御するステップと、
前記電池に供給される充電電流の電流量を制限しないと判定した場合、前記電流制限部に対して、前記充電器から供給される充電電流の電流量の制限を解除するよう制御するステップと
を備えることを特徴とする充電制御方法。
【発明の詳細な説明】
【技術分野】
【０００１】
本発明は、電子機器および充電制御方法に関する。
【背景技術】
【０００２】
例えば、ＡＣ電源からの電力により組電池を充電し、ＡＣ／ＤＣコンバータを有する充電器と、組電池の電圧を検出する電圧検出手段と、充電器と組電池との間に接続され、ＡＣ／ＤＣコンバータからの入力電流のピーク値に制限をかけて、組電池に充電電流を出力する電流制限回路と電圧検出手段の検出電圧に応じて、前記電流制限回路を制御する制御手段とを備えるものがある（例えば、特許文献１参照）。
また、携帯電話機に搭載されるバッテリを充電する充電システムとして、バッテリへの充電電流および充電電圧の供給制御を行う充電制御部と、携帯電話機の内部の装置温度を監視する装置温度監視部と、バッテリのバッテリ温度を監視するバッテリ温度監視部と、を備え、充電制御部は、装置温度監視部によって監視された装置温度に基づいてバッテリに供給する充電電流を制御するとともに、バッテリ温度監視部によって監視されたバッテリ温度に基づいてバッテリに供給する充電電圧を制御するものがある（例えば、特許文献２参照）。
さらに、組みバッテリを構成する各バッテリセル群の少なくとも一つが満充電となったことを検出した場合、組みバッテリへの充電電流供給を停止するものがある（例えば、特許文献３参照）。
【先行技術文献】
【特許文献】
【０００３】
【特許文献１】特開２０１０−２８８４０３号公報
【特許文献２】再公表ＷＯ２００７／１２２７８７号公報
【特許文献３】特開平０５−０６４３７７号公報
【発明の概要】
【発明が解決しようとする課題】
【０００４】
しかしながら、検出された充電電圧値に基づき満充電となったことを検出した場合に充電器から電池への充電を終了してしまうと、実際には満充電になっていない場合であっても、充電が終了してしまうおそれがある。
一方、モバイル機器の製造メーカ以外が販売する様々な充電器が市場で販売されている。このように、製造メーカ以外の充電器をユーザが購入した場合、物理的にはモバイル機器と接続できるものの、充電ができないという不都合が生じるという問題があった。
本発明は、上記課題を解決することができる電子機器および充電制御方法を提供することを目的とする。
【課題を解決するための手段】
【０００５】
この発明は上述した課題を解決するためになされたもので、本発明の一態様による電子機器は、充電器と電池との間に接続され、前記充電器から供給される充電電流の電流量を制御する電流制御部と、前記充電器から前記電池に供給される充電電力の充電電圧を検出し、検出結果に基づき、前記電池に供給される充電電流の電流量を制限するか否かを判定し、判定結果に基づき前記電流制御部を制御する充電電圧監視回路とを備える。
【０００６】
この発明は上述した課題を解決するためになされたもので、本発明の一態様による充電制御方法は、充電器から電池に供給される充電電力の充電電圧を検出するステップと、検出結果に基づき、前記電池に供給される充電電流の電流量を制限するか否かを判定するステップと、前記電池に供給される充電電流の電流量を制限すると判定した場合、前記充電器と前記電池との間に接続される電流制限部に対して、前記充電器から供給される充電電流の電流量を制限するよう制御するステップと、前記電池に供給される充電電流の電流量を制限しないと判定した場合、前記電流制限部に対して、前記充電器から供給される充電電流の電流量の制限を解除するよう制御するステップとを備える。
【発明の効果】
【０００７】
様々な充電器に対応できる電子機器および充電制御方法を提供することができる。
【図面の簡単な説明】
【０００８】
【図１】本発明の一実施形態に係る電子機器１０の構成を示すブロック図である。
【図２】モバイル機器１０と充電器２０とを接続したときのモバイル機器１０側の充電電圧Ｖと充電電流Ｉの時系列の変化の一例を示す図である。
【図３】モバイル機器１０と充電器２０とを接続したときのモバイル機器１０側の充電電圧Ｖと充電電流Ｉの時系列の変化の他の例を示す図である。
【図４】本実施形態に係るモバイル機器１０における充電制御方法の一例を示すフローチャートである。
【図５】充電電流を徐々に増加させるモバイル機器の例を説明するための図である。
【図６】本発明の一実施形態に係る電子機器１０の最小構成を示す図である。
【発明を実施するための形態】
【０００９】
以下、図面を参照して本発明の実施の形態について説明する。図１は、本発明の一実施形態に係る電子機器１０の構成を示すブロック図である。
図１に示す通り、本実施形態に係る電子機器（以下、モバイル機器という）１０は、充電器２０と電気的に接続され、充電器２０から充電電力が供給される。
充電器２０は、例えば、家庭用の電源等のＡＣ電源と接続されるコンセント接続部と、入力する交流電流を直流電流に変換するＡＣ／ＤＣコンバータとを備える。この充電器２０は、変換した直流電流の充電電力をモバイル機器１０に出力する。
なお、この充電器２０としては、様々なタイプが利用可能である。例えば、モバイル機器１０に供給される充電電流の単位時間当たりの電流量を検出し、この電流量が予めきめられた電流量を超えて、大電流がモバイル機器１０に出力されたことを判定した場合、充電電圧を下げるものがある。
【００１０】
このモバイル機器１０は、電池１１と、コネクタ１２と、ＦＥＴ（Ｆｉｅｌｄ  Ｅｆｆｅｃｔ  Ｔｒａｎｓｉｓｔｏｒ）１３と、充電電圧監視回路１４と、不揮発メモリ１５と、電流制限回路１６とを備える。
電池１１は、モバイル機器１０に搭載される各機能部（例えば、図示を省略するが、ＣＰＵやカメラ、その他の機能部）に供給する電力を蓄電する。
コネクタ１２は、充電器２０とモバイル機器１０とを電気的に接続する接続部である。
ＦＥＴ１３は、電池１１とコネクタ１２との間に電気的に接続され、充電器２０から電池１１に供給される充電電流の電流量を調整するための素子である。
【００１１】
充電電圧監視回路１４は、コネクタ１２とＦＥＴ１３との間の充電電圧を検出し、検出結果に基づき、電池１１に供給される充電電流の電流量を制限するか否かを判定する。この充電電圧監視回路１４は、判定結果に基づき、電流制限回路１６を制御する。なお、具体的な制御については、図２を参照して後述する。
不揮発メモリ１５は、充電電圧監視回路１４が判定する際に参照する電圧閾値を示す情報を記憶する。
電流制限回路１６は、充電電圧監視回路１４による判定結果に応じて、電池１１に供給される充電電流の電流量を調整するようＦＥＴ１３を制御する。
【００１２】
このようにして、コネクタ１２から入ってきた充電電流は、ＦＥＴ１３を通って、電池１１に流れ込む。充電電圧監視回路１４は、コネクタ１２とＦＥＴ１３の間の充電電圧を常時検出し、不揮発メモリ１５に記憶されている電圧閾値と充電電圧とを比較して、電池１１に供給される充電電流の電流量を制限するか否かを判定する。電池１１に供給される充電電流の電流量を制限すると判定した場合、充電電圧監視回路１４は、ＦＥＴ１３を制御して電池１１へ流れ込む充電電流を制限するよう電流制限回路１６をコントロールする。
【００１３】
次に、図２を参照して、モバイル機器１０と充電器２０とを接続したときのモバイル機器１０側の充電電圧Ｖと充電電流Ｉの時系列の変化について説明する。図２は、モバイル機器１０と充電器２０とを接続したときのモバイル機器１０側の充電電圧Ｖと充電電流Ｉの時系列の変化の一例を示す図である。
【００１４】
（１）図２に示す通り、モバイル機器１０と充電器２０とが接続されると、充電電圧Ｖがモバイル機器１０のコネクタ１２に印加される。モバイル機器１０は、充電可能と判定した場合、充電を開始する。これにより、充電電圧Ｖが上昇し、まもなく充電器２０の出力電圧Ｖ０に達する。本実施形態において、充電器２０の出力電圧Ｖ０＝５．０Ｖである。
（２）また、充電電圧Ｖが上昇すると、充電器２０からモバイル機器１０に充電電流Ｉが徐々に流れ始める。なお、出力特性の悪い充電器２０の場合、充電器２０から大電流が出力され、充電電流Ｉがモバイル機器１０に一気に流れ込むおそれがある。
（３）そして、大電流が一気にモバイル機器１０に流れ込むと、充電器２０が充電電圧Ｖを下げる。例えば、充電器２０が、大電流が出力されたことを検出したことにより、出力される充電電流の電流量を制限するタイプのものである場合、充電電圧Ｖが降下する。
【００１５】
（４）これにより、充電電圧Ｖが、予め決められた電流引き込み制限電圧値（第１電圧閾値）Ｖ１以下に降下したとする。本実施形態において、電流引き込み制限電圧値（第１電圧閾値）Ｖ１＝４．９Ｖである。
この場合、モバイル機器１０の充電電圧監視回路１４は、電池１１に供給される充電電力の電流量を制限すると判定する。よって、電池１１に供給される充電電流の電流量が制限される。具体的に説明すると、充電電圧監視回路１４は、充電電圧Ｖが電流引き込み制限電圧値（第１電圧閾値）Ｖ１以下に降下した場合、電流制限回路１６に対して、モバイル機器１０の充電電圧監視回路１４は、電池１１に供給される充電電流Ｉの電流量を制限するよう制御する。この電流制限回路１６は、ＦＥＴ１３に流れる充電電流Ｉの電流量を減じるように、ＦＥＴ１３に印加する制御電圧を制御する。
ここで、充電器２０は、モバイル機器１０側で実行されている電池１１への充電電流Ｉの供給制限を検知することができない。よって、モバイル機器１０が電池１１への充電電流Ｉの供給を制限するとともに、充電器２０がモバイル機器１０への出力電力の供給を制限することとなる。このため、モバイル機器１０の充電電圧Ｖが回復せずにさらに降下し、電流引き込み解除電圧値（第２電圧閾値）Ｖ２以下になる。本実施形態において、電流引き込み解除電圧値（第２電圧閾値）Ｖ２＝４．２Ｖである。
【００１６】
一方、電池１１に供給される充電電流の電流量を制限したにも関わらず、充電電圧Ｖが回復せず、電流引き込み解除電圧値（第２電圧閾値）Ｖ２以下に降下したとする。この場合、モバイル機器１０の充電電圧監視回路１４は、電池１１に供給される充電電力の電流量の制限を解除すると判定する。よって、電池１１に供給される充電電流の電流量の制限が解除される。具体的に説明すると、充電電圧監視回路１４は、充電電圧Ｖが電流引き込み制限電圧値（第１電圧閾値）Ｖ２以下に降下した場合、電流制限回路１６に対して、モバイル機器１０の充電電圧監視回路１４は、電池１１に供給される充電電力の電流量の制限を解除するよう制御する。この電流制限回路１６は、ＦＥＴ１３に流れる充電電流Ｉの電流量を増加させるように、ＦＥＴ１３に印加する制御電圧を制御する。これにより、モバイル機器１０の充電電流Ｉが増加し始める。そして、モバイル機器１０の充電電圧Ｖの降下が停止する。
【００１７】
次に、図３を参照して、図２に説明した充電電圧Ｖと充電電流Ｉの時系列の変化の他の例について説明する。図３は、モバイル機器１０と充電器２０とを接続したときのモバイル機器１０側の充電電圧Ｖと充電電流Ｉの時系列の変化の他の例を示す図である。なお、（１）〜（４）までの変化については、図２の説明と同様であるため、詳細な説明は省略する。
（５）モバイル機器１０の充電電流Ｉが増加し始めるが、充電電圧Ｖが降下し続ける。そして、電池１１に供給される充電電流の電流量の制限を解除したにも関わらず、充電電圧Ｖが回復せず、充電器抜け判定電圧値（第３電圧閾値）Ｖ３以下に降下したとする。この場合、モバイル機器１０の充電電圧監視回路１４は、充電器２０の抜けであると判定し、充電器２０からの充電を停止させる。本実施形態において、充電器抜け判定電圧値（第３電圧閾値）Ｖ３＝０．３Ｖである。
【００１８】
次に、図４を参照して、本実施形態に係るモバイル機器１０における充電制御方法の一例について説明する。図４は、本実施形態に係るモバイル機器１０における充電制御方法の一例を示すフローチャートである。
【００１９】
（ステップＳＴ１）
モバイル機器１０と充電器２０とが接続されると、充電電圧Ｖがモバイル機器１０のコネクタ１２に印加される。モバイル機器１０は、充電可能と判定した場合、充電を開始する。
（ステップＳＴ２）
そして、モバイル機器１０の充電電圧監視回路１４は、充電器２０からの充電電流が電池１１に供給されるように、電流制限回路１６を制御する。電流制限回路１６は、ＦＥＴ１３に制御電圧を印加して、充電器２０からの充電電流が電池１１に供給されるよう制御する。充電開始時において、電池１１に充電電流Ｉを供給する制御モードとして予め決められた制御がある場合、充電電圧監視回路１４は、この制御モードに従って、電流制限回路１６を制御する。
【００２０】
（ステップＳＴ３）
次いで、充電電圧監視回路１４は、コネクタ１２とＦＥＴ１３との間の充電電圧Ｖを検出し、検出した充電電圧Ｖが電流引き込み制限電圧値（第１電圧閾値）Ｖ１より大きいか否かを判定する。充電電圧Ｖが電流引き込み制限電圧値（第１電圧閾値）Ｖ１以下である場合、充電電圧監視回路１４は、ステップＳＴ２の処理に戻る。
【００２１】
（ステップＳＴ４）
一方、充電電圧Ｖが電流引き込み制限電圧値（第１電圧閾値）Ｖ１より大きい場合、充電電圧監視回路１４は、例えば、一定の充電電流を電池１１に供給するように電流制限回路１６を制御する。
【００２２】
（ステップＳＴ５）
次いで、充電電圧監視回路１４は、コネクタ１２とＦＥＴ１３との間の充電電圧Ｖを検出し、検出した充電電圧Ｖが電流引き込み制限電圧値（第１電圧閾値）Ｖ１以下であるか否かを判定する。充電電圧Ｖが電流引き込み制限電圧値（第１電圧閾値）Ｖ１より大きい場合、充電電圧監視回路１４は、ステップＳＴ４の処理に戻る。
【００２３】
（ステップＳＴ６）
一方、充電電圧Ｖが電流引き込み制限電圧値（第１電圧閾値）Ｖ１以下である場合、充電電圧監視回路１４は、電池１１に供給される充電電流Ｉの電流量を制限すると判定し、電池１１に供給される充電電流Ｉの電流量を制限するよう電流制限回路１６を制御する。そして、電流制限回路１６は、ＦＥＴ１３に流れる充電電流Ｉの電流量を減じるように、ＦＥＴ１３に印加する制御電圧を制御する。
例えば、大電流が一気にモバイル機器１０に流れ込むと、充電器２０が充電電圧Ｖを下げる。これにより、充電電圧Ｖが電流引き込み制限電圧値（第１電圧閾値）Ｖ１以下に降下する場合がある。この場合、充電電圧監視回路１４は、電池１１に供給される充電電流Ｉの電流量を制限するよう電流制限回路１６を制御する。
【００２４】
（ステップＳＴ７）
次いで、充電電圧監視回路１４は、コネクタ１２とＦＥＴ１３との間の充電電圧Ｖを検出し、検出した充電電圧Ｖが電流引き込み解除電圧値（第２電圧閾値）Ｖ２以下であるか否かを判定する。充電電圧Ｖが電流引き込み解除電圧値（第２電圧閾値）Ｖ２より大きい場合、充電電圧監視回路１４は、ステップＳＴ５の処理に戻る。
【００２５】
（ステップＳＴ８）
一方、充電電圧Ｖが電流引き込み解除電圧値（第２電圧閾値）Ｖ２以下である場合、充電電圧監視回路１４は、電池１１に供給される充電電流Ｉの電流量の制限を解除すると判定し、電池１１に供給される充電電流Ｉの電流量を制限するよう電流制限回路１６を制御する。そして、電流制限回路１６は、ＦＥＴ１３に流れる充電電流Ｉの電流量を増加させるように、ＦＥＴ１３に印加する制御電圧を制御する。
例えば、モバイル機器１０が電池１１への充電電流Ｉの供給を制限するとともに、充電器２０がモバイル機器１０への出力電力の供給を制限する場合、モバイル機器１０の充電電圧Ｖが回復せずにさらに降下し、電流引き込み解除電圧値（第２電圧閾値）Ｖ２以下になる場合がある。この場合、充電電圧監視回路１４は、電池１１に供給される充電電流Ｉの電流量の制限を解除するよう電流制限回路１６を制御する。
【００２６】
（ステップＳＴ９）
次いで、充電電圧監視回路１４は、コネクタ１２とＦＥＴ１３との間の充電電圧Ｖを検出し、検出した充電電圧Ｖが充電器抜け判定電圧値（第３電圧閾値）Ｖ３以下であるか否かを判定する。充電電圧Ｖが充電器抜け判定電圧値（第３電圧閾値）Ｖ３より大きい場合、充電電圧監視回路１４は、ステップＳＴ７の処理に戻る。
【００２７】
（ステップＳＴ１０）
一方、充電電圧Ｖが充電器抜け判定電圧値（第３電圧閾値）Ｖ３以下である場合、充電電圧監視回路１４は、充電器２０とモバイル機器１０とが、コネクタ１２において電気的に接続されていない、つまり、充電器２０の抜けであると判定し、充電器２０からの充電を停止させる。
【００２８】
上述の通り、モバイル機器１０は、充電器２０から電池１１に供給される充電電力の充電電圧Ｖの電圧値を検出し、検出結果に基づき、電池１１に供給される充電電流の電流量を制限するか否かを判定し、前記充電器から供給される充電電流の電流量を制御する。これにより、電池１１に供給される充電電流Ｉの電流量を制限すると判定した場合、充電器２０から供給される充電電流Ｉの電流量を制限するとともに、電池１１に供給される充電電流Ｉの電流量を制限しないと判定した場合、充電器２０から供給される充電電流Ｉの電流量の制限を解除することができる。
よって、モバイル機器１０が電池１１への充電電流Ｉの供給を制限するとともに、充電器２０がモバイル機器１０への出力電力の供給を制限する場合、モバイル機器１０の充電電圧Ｖが回復せずにさらに降下しつづけた場合であっても、この充電電圧Ｖの降下を停止させることができる。
従って、充電器２０が、大電流がモバイル機器１０に出力されたことを判定した場合に充電電圧を下げるものである場合に有効である。
【００２９】
また、近年では、さまざまな種類のモバイル機器が発売されており、それに伴い、非純正の充電器も多数販売されている。モバイル機器側の充電電流値もさまざまであるが、電流を供給する側の充電器の出力可能充電電流の制約もさまざまである。特定のモバイル機器と、それと物理的に接続できる充電器を購入したユーザが、実際接続してみると充電できないという例は、多数報告されている。その報告例の一つとして、以下のような場合がある。充電器側で、出力充電電流の制限を掛けてはいるものの、充電器内部での回路構造により、モバイル機器側から、規定内の充電電流しか引っ張っていない場合でも、充電電圧がスペックを守れずに電圧降下を起こす。この場合、充電器側かモバイル機器側が充電電圧の出力低下を認識し、充電を止める。本発明によると、このような場合でも、エラーとして充電を止めてしまうのではなく、充電器能を使えるように対応することができる。
【００３０】
さらに、本実施形態に係るモバイル機器１０では、充電器２０の出力電圧Ｖ０＝５．０Ｖよりもやや低い電圧値を、電流引き込み制限電圧値（第１電圧閾値）Ｖ１＝４．９Ｖと設定している。また、電流引き込み制限電圧値（第１電圧閾値）Ｖ１よりも低い電圧値を、電流引き込み解除電圧値（第２電圧閾値）Ｖ２＝４．２Ｖと設定している。
これにより、充電電圧Ｖが出力電圧Ｖ０＝５．０Ｖである状態から電流引き込み制限電圧値（第１電圧閾値）Ｖ１＝４．９Ｖ以下に降下した場合、Ｖ１≧充電電圧Ｖ＞Ｖ２の範囲において、充電電圧監視回路１４は、電池１１への充電電流Ｉの供給を制限する。また、充電電圧Ｖが電流引き込み制限電圧値（第１電圧閾値）Ｖ１＝４．９Ｖより大きい状態から電流引き込み解除電圧値（第２電圧閾値）Ｖ２以下に降下した場合、Ｖ２≧充電電圧Ｖ＞Ｖ３の範囲において、充電電圧監視回路１４は、電池１１への充電電流Ｉの供給の制限を解除する。
【００３１】
また、本実施形態に係るモバイル機器１０では、充電電圧Ｖが充電器抜け判定電圧値（第３電圧閾値）Ｖ３以下になった場合、充電器２０の抜けであると判定し、充電器２０からの充電を停止させる。これにより、充電電圧監視回路１４は、検出した充電電圧Ｖが第２閾値Ｖ２以下となった場合であっても、電池１１に供給される充電電流の電流量の制限を解除しつづける処理をしなくてすむ。つまり、本当に充電器２０がコネクタ１２から外れている場合において、充電電圧Ｖが降下し続けた場合、充電を停止することができる。
このように、充電電圧監視回路１４は、不揮発メモリ１５を参照して、検出した充電電圧Ｖと登録されている第１〜第３閾値Ｖ１〜Ｖ３とを比較して、電池１１に供給される充電電流の電流量を制限するか否かを、簡単に判定することができる。
また、不揮発メモリ１５に保存する第１〜第３閾値Ｖ１〜Ｖ３を書き換えることによって、接続される充電器２０の種類や、モバイル機器１０の用途に応じて、第１〜第３閾値Ｖ１〜Ｖ３をフレキシブルに変更することができる。
【００３２】
なお、本発明と同様の効果を期待する機能として、図５にあるように、充電開始後、充電電流Ｉを除々に増加させるという手法を取るモバイル機器も存在する。しかしながら、ある一定以上の電圧特性を持つ充電器に対しては有効であるが、充電電流が少なめだったり、出力特性が極端に悪かったりする充電器では、充電電圧Ｖが降下して、充電が止まってしまうという問題は発生し得る。本発明では、このような出力特性の特に悪い充電器に対しても有効である。
【００３３】
また、本発明に係る電子機器１０の最小の構成要素は、充電器２０と電池１１との間に接続され、充電器２０から供給される充電電流の電流量を制御する電流制御部（電流制限回路１６とＦＥＴ１３とを含む）と、充電器２０から電池１１に供給される充電電力の充電電圧を検出し、検出結果に基づき、電池１１に供給される充電電流の電流量を制限するか否かを判定し、判定結果に基づき電流制御部（電流制限回路１６とＦＥＴ１３とを含む）を制御する充電電圧監視回路１４と、である。この構成を図６に示す。
【００３４】
上記の実施形態の一部又は全部は、以下の付記のようにも記載され得るが、以下には限られない。
【００３５】
また、本実施の形態に係るモバイル機器１０は、内部にコンピュータシステムを有している。そして、動作の過程は、プログラムの形式でコンピュータ読み取り可能な記録媒体に記憶されており、このプログラムをコンピュータシステムが読み出して実行することによって、上記処理が行われる。ここでいう「コンピュータシステム」とは、ＣＰＵ及び各種メモリやＯＳ、周辺機器等のハードウェアを含むものである。
また、「コンピュータシステム」は、ＷＷＷシステムを利用している場合であれば、ホームページ提供環境（あるいは表示環境）も含むものとする。
【００３６】
「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
また、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものであってもよい。
【００３７】
さらに、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムに既に記録されているプログラムとの組合せで実現できるもの、いわゆる差分ファイル（差分プログラム）であっても良い。
【符号の説明】
【００３８】
１０  モバイル機器
１１  電池
１２  コネクタ
１３  ＦＥＴ
１４  充電電圧監視回路
１５  不揮発メモリ
１６  電流制限回路
２０  充電器
【図１】
2013223348.tif 000003
【図２】
2013223348.tif 000004
【図３】
2013223348.tif 000005
【図４】
2013223348.tif 000006
【図５】
2013223348.tif 000007
【図６】
2013223348.tif 000008